(57)【要約】      （修正有）【課題】汚染回収率の向上及び作業後の歩行者に対する安全性を向上させる湿式バキューム用スクイジーを提供する。【解決手段】後方に取り付けたスクイジーブレード１０，１１の中央部で目地部の汚水を後方に跳ね上げるのは、床洗浄機の進行方向と垂直な目地と後方スクイジーブレード１０，１１が概ね平行になるスクイジーの中央部で発生している。そこで、床洗浄機の進行方向と垂直な目地と後方スクイジーブレード１０，１１が平行にならない構造とした。【選択図】図４
2008036379.tif 000002
【特許請求の範囲】
【請求項１】
横長に、且つ、両端側をスクイジーの進行方向に湾曲させたスクイジーフレームの前後に間隔をあけて可撓性スクイジーブレードを取付け、これ等前後のスクイジーブレードによって構成されるスクイジー間隔内にホースを通してバキュームファンの吸引作用を及ぼすことによって、洗浄汚水を床面から吸引するように構成した床面洗浄機および湿式バキューム用スクイジーであって、進行方向に対して後方に取り付けたスクイジーブレードを左右長手方向に２枚とし、スクイジーフレームの概ね中央部で一方の後方スクイジーブレードの内側にもう一方の後方スクイジーブレードの端部を接しさせて取り付けることを特徴とする床面洗浄機および湿式バキューム用スクイジー。
【発明の詳細な説明】
【技術分野】本発明は、走行しながら回転ブラシによって床面を洗浄し、発生した汚水を吸引回収する床面洗浄機の技術分野であって、具体的には、バキュームファンの吸引作用を利用して、床面の汚水を吸い取るスクイジーの改良に関するものである。
【背景技術】横長に両端側をスクイジーの進行方向に湾曲させたスクイジーフレームの前後に間隔をあけて可撓性スクイジーブレードを取付け、これ等前後のスクイジーブレードによって構成されるスクイジー間隔内にホースを通してバキュームファンの吸引作用を及ぼすことによって、洗浄汚水を床面から吸引するように構成した床面洗浄機および湿式バキューム用スクイジーでは、進行方向に対して後方に取り付けたスクイジーブレードを一枚としている。
【発明の開示】
【発明が解決しようとする課題】上記従来のスクイジーでは、図２に示すような床にタイル２を貼ってあり目地３のある床面での吸水時に、後方に取り付けたスクイジーブレードの中央部で目地部の汚水を後方に跳ね上げ汚水が残っていた。
【課題を解決するための手段】後方に取り付けたスクイジーブレードの中央部で目地部の汚水を後方に跳ね上げるのは、床洗浄機の進行方向と垂直な目地と後方スクイジーブレードが概ね平行になるスクイジーの中央部で発生している。
そこで、床洗浄機の進行方向と垂直な目地と後方スクイジーブレードが平行にならない構造とした。
【発明の効果】汚水回収率の向上及び作業後の歩行者に対する安全性の向上を得ることが出来た。
【発明を実施するための最良の形態】前後のスクイジーブレードを取り付けるスクイジーフレーム４の形状を図３に示す。
前方スクイジーブレードを取り付けるスクイジーフレーム前面５は従来と同様に進行方向に略弓形状に湾曲させる。
後方スクイジーブレードを取り付けるスクイジーフレーム後面６は、左右両端から概ね中央部で交わる直線とする。
上記スクイジーフレーム４に、前方スクイジーブレード８は従来のように一枚取り付ける。
後方スクイジーブレードは二枚取り付ける。
横長な後方に取り付けるスクイジーブレードを二枚とする。
そして、一方の後方スクイジーブレード１０をスクイジーフレーム４の一方の端から概ね中央部を越える長さとし取り付ける。
もう一方の後方ブレード１１はスクイジーフレーム４のもう一方の端から概ね中央部までとする。
そのとき中央部で一方の後方スクイジーブレード１０の内側にもう一方の後方スクイジーブレード１１の端部を接しさせる。
すなわち、互いに接する箇所で一方の後方スクイジーブレード１０がもう一方の後方スクイジーブレード１１の後方になるよう取り付ける。
こうすることで、後方スクイジーブレードは直進時に床面の目地と概ね平行になる所が無くなり、タイル床の目地部で後方スクイジーブレード１０．１１が汚水を跳ね上げるのを無くすることができた。
しかし、二枚の後方スクイジーブレード１０，１１が接する所で完全にシールすることは出来ない。
そのため、そこから汚水が回収されずに床面に残る可能性が発生する。
ところが、スクイジー内部の負圧を概ね１００ｍｍ水柱以上に保っておくと、スクイジーフレーム４の内部に向かう空気の流れが強く、汚水は空気の流れでフレーム内部に取り込まれ床面に汚水をほとんど残さない。
また、スクイジー内部の負圧をより高く保つようにするほどスクイジーフレーム４内部に向かう空気の流れは強くなるので、より確実に吸引できるようになる。
【実施例】上述したとおり、本発明に係るスクイジーフレーム４に後方スクイジーブレードを二枚取り付けるのが最適ではあるが、従来のスクイジーフレーム１に後方スクイジーブレードを二枚取り付け同等の結果を得ることが出来る。
図７に従来のスクイジーフレーム１に取り付ける二枚の後方スクイジーブレードを示す。
図６に従来のスクイジーフレーム１に二枚の後方スクイジーブレード取り付けた中央部を示す。
中央部で従来のフレーム用一方の後方スクイジーブレード１４の内側に従来のフレーム用もう一方の後方スクイジーブレード１５の端部を接しさせる。
すなわち、互いに接する箇所で従来のフレーム用一方の後方スクイジーブレード１４が従来のフレーム用もう一方の後方スクイジーブレード１５の後方になるよう取り付ける。
従来のスクイジーフレーム１を用いても同様の性能を得ることが出来る。
【産業上の利用可能性】近年ビルの清掃分野における床面清掃では作業効率の向上および美観の向上のために、床面洗浄機の普及が著しい。
しかし、タイル貼りの床面の洗浄時では汚水が床面に残り、洗浄後の安全性の確保のため床洗浄機を操作する人員にもう一人の人員を付けて作業を実施し、作業効率がさほど向上していない。
本発明の床面洗浄機用スクイジーを使用することにより、床面洗浄機を操作する人員のみで、洗浄後の安全性の確保が達成でき作業効率が向上する。
また、床面の汚水回収率向上も得ることが出来、美観の向上にも寄与できる。
【図面の簡単な説明】
【図１】従来のスクイジーフレームの平面図。
【図２】目地があるタイル床面の平面図。
【図３】本発明に係るスクイジーフレーム平面図。
【図４】本発明に係るスクイジー中央部の平面図。
【図５】図４のＡ−Ａ線に沿った断面図。
【図６】従来のスクイジーフレームに後方スクイジーブレードを二枚取り付けたときの、スクイジーフレーム中央部の平面図。
【図７】従来のフレーム用の二枚の後方スクイジーブレード斜視図。
【符号の説明】
１従来のスクイジーフレーム
２床のタイル
３床の目地
４本発明に係るスクイジーフレーム
５本発明に係るスクイジーフレームの前面
６本発明に係るスクイジーフレームの後面
７バキュームホースへの接続口
８前方スクイジーブレード
９前方スクイジーブレード押え板
１０一方の後方スクイジーブレード
１１もう一方の後方スクイジーブレード
１２後方スクイジーブレード押え板
１３もう一方の後方スクイジーブレードの端部
１４従来のフレーム用一方の後方スクイジーブレード
１５従来のフレーム用もう一方の後方スクイジーブレード
【図１】
2008036379.tif 000003
【図２】
2008036379.tif 000004
【図３】
2008036379.tif 000005
【図４】
2008036379.tif 000006
【図５】
2008036379.tif 000007
【図６】
2008036379.tif 000008
【図７】
2008036379.tif 000009